(57)【特許請求の範囲】
【請求項１】
フィールド周波数５９．９４Ｈｚのビデオデータが記録されるとともに、サンプリング周波数４８ｋＨｚのｎチャンネル分（ｎは９から１６までの整数）のオーディオデータが、連続する５フィールドのうち、１フィールドに対応して８００サンプル、残りの４フィールドに対応してそれぞれ８０１サンプル記録されたテープ状記録媒体から、奇数フィールドのビデオデータ及びそれに対応するオーディオデータと、偶数フィールドのビデオデータ及びそれに対応するオーディオデータとを並列的に再生することによって２倍速再生を行う再生部と、
前記再生部によって並列的に再生される奇数フィールドに対応するオーディオデータと偶数フィールドに対応するオーディオデータとを、メモリーに書き込んだ後、対応するフィールドの順番に９６ｋＨｚで前記メモリーから読み出して、デュアルリンクＨＤ−ＳＤＩのトランスミッタに出力するオーディオ処理部と
を備えたことを特徴とする２倍速データの出力装置。
【請求項２】
請求項１に記載の２倍速データの出力装置において、
前記オーディオ処理部は、前記メモリーから読み出したオーディオデータを、同じチャンネルのデータを連続させてデュアルリンクＨＤ−ＳＤＩのトランスミッタに出力する
ことを特徴とする２倍速データの出力装置。
【請求項３】
請求項２に記載の２倍速データの出力装置において、
前記オーディオ処理部は、前記メモリーから読み出したオーディオデータのうち、１チャンネル目から８チャンネル目のデータを、同じチャンネルのデータを連続させてデュアルリンクＨＤ−ＳＤＩのＬＩＮＫ-Ａのトランスミッタに出力し、９チャンネル目以降のデータを、同じチャンネルのデータを連続させてデュアルリンクＨＤ−ＳＤＩのＬＩＮＫ-Ｂのトランスミッタに出力する
ことを特徴とする２倍速データの出力装置。
【請求項４】
請求項２に記載の２倍速データの出力装置において、
前記再生部は、ＨＤＣＡＭ ＳＲ（登録商標）フォーマットで記録されたビデオデータ及び１２チャンネル分のオーディオデータを再生し、
前記オーディオ処理部は、前記メモリーから読み出したオーディオデータのうち、１チャンネル目から８チャンネル目のデータを、同じチャンネルのデータを連続させてデュアルリンクＨＤ−ＳＤＩのＬＩＮＫ-Ａのトランスミッタに出力し、９チャンネル目から１２チャンネル目までのデータを、同じチャンネルのデータを連続させてデュアルリンクＨＤ−ＳＤＩのＬＩＮＫ-Ｂのトランスミッタに出力する
ことを特徴とする２倍速データの出力装置。
【請求項５】
フィールド周波数５９．９４Ｈｚのビデオデータが記録されるとともに、サンプリング周波数４８ｋＨｚのｎチャンネル分（ｎは９から１６までの整数）のオーディオデータが、連続する５フィールドのうち、１フィールドに対応して８００サンプル、残りの４フィールドに対応してそれぞれ８０１サンプル記録されたテープ状記録媒体から、奇数フィールドのビデオデータ及びそれに対応するオーディオデータと、偶数フィールドのビデオデータ及びそれに対応するオーディオデータとを並列的に再生することによって２倍速再生を行う第１のステップと、
前記第１のステップで並列的に再生した奇数フィールドに対応するオーディオデータと偶数フィールドに対応するオーディオデータとを、メモリーに書き込んだ後、対応するフィールドの順番に９６ｋＨｚで前記メモリーから読み出す第２のステップと、
前記第２のステップで前記メモリーから読み出したオーディオデータを、デュアルリンクＨＤ−ＳＤＩのトランスミッタに出力する第３のステップと
を有することを特徴とする２倍速データの出力方法。
【請求項６】
請求項５に記載の２倍速データの出力方法において、
前記第３のステップで、前記メモリーから読み出したオーディオデータを、同じチャンネルのデータを連続させてデュアルリンクＨＤ−ＳＤＩのトランスミッタに出力する
ことを特徴とする２倍速データの出力方法。
【請求項７】
請求項６に記載の２倍速データの出力方法において、
前記第３のステップで、前記メモリーから読み出したオーディオデータのうち、１チャンネル目から８チャンネル目のデータを、同じチャンネルのデータを連続させてデュアルリンクＨＤ−ＳＤＩのＬＩＮＫ-Ａのトランスミッタに出力し、９チャンネル目以降のデータを、同じチャンネルのデータを連続させてデュアルリンクＨＤ−ＳＤＩのＬＩＮＫ-Ｂのトランスミッタに出力する
ことを特徴とする２倍速データの出力方法。
【請求項８】
請求項６に記載の２倍速データの出力方法において、
前記第１のステップで、ＨＤＣＡＭ ＳＲフォーマットで記録されたビデオデータ及び１２チャンネル分のオーディオデータを再生し、
前記第３のステップで、前記メモリーから読み出したオーディオデータのうち、１チャンネル目から８チャンネル目のデータを、同じチャンネルのデータを連続させてデュアルリンクＨＤ−ＳＤＩのＬＩＮＫ-Ａのトランスミッタに出力し、９チャンネル目から１２チャンネル目までのデータを、同じチャンネルのデータを連続させてデュアルリンクＨＤ−ＳＤＩのＬＩＮＫ-Ｂのトランスミッタに出力する
ことを特徴とする２倍速データの出力方法。
【発明の詳細な説明】
【技術分野】
【０００１】
本発明は、ＶＴＲを２倍速再生する際のオーディオデータの出力装置及び出力方法に関する。
【背景技術】
【０００２】
フルハイビジョン（１９２０Ｈ×１０８０Ｖ）に対応したＶＴＲフォーマットとして、本出願人が提唱したＨＤＣＡＭ ＳＲ（登録商標）フォーマットが存在している。  ＨＤＣＡＭ ＳＲフォーマットでは、１フィールド分のビデオデータの記録領域がトラックの前後に分かれており、その間に１フィールド分のオーディオデータの記録領域が設けられる。オーディオデータのサンプリング周波数は、４８ｋＨｚである。また、オーディオデータのチャンネル数は１２ｃｈであり、１フィールド分のオーディオデータの記録領域に１チャンネル目〜１２チャンネル目のデータが順番に記録される。
【０００３】
フィールド周波数が５９．９４Ｈｚのビデオデータを記録する場合、オーディオデータのサンプリングレートがフィールド周波数の整数倍にならず、そのままでは１フィールド分のオーディオデータのサンプル数が（１／５９．９４Ｈｚ）／（１／４８ｋＨｚ）＝８００．８と計算される。
【０００４】
そこで、この場合には、図１に示すように、連続する５フィールドを単位として、１フィールド目のビデオデータ‘picture1’に対応して８００サンプル分のオーディオデータ‘audio1(800)’を記録し、２〜５フィールド目のビデオデータ‘picture2’〜 ‘picture5’に対応してそれぞれ８０１サンプル分のオーディオデータ‘audio2(801)’〜‘audio5(801)’を記録するようにしている。
【０００５】
図２は、このビデオデータ‘picture1’〜‘picture5’とオーディオデータ‘audio1(800)’〜‘audio5(801)’との磁気テープ上での記録位置を示す図である。１フィールド目のビデオデータ‘picture1’がトラックの前後に分かれて記録され（２分されたビデオデータを‘picture1(1/2)’，‘picture1(2/2)’と示している）、その間の領域にオーディオデータ‘audio1(800)’が記録される。２〜５フィールド目についても同じである。なお、図２では便宜上１フィールド分のビデオデータが記録されるトラックを１本のトラックのように描いているが、実際には１２本のトラックを用いて１フィールド分のビデオデータが記録される。
【０００６】
図２では図示を省略しているが、各ビデオデータ‘picture1’〜‘picture5’の記録位置の手前（磁気ヘッドで最初に読み出される位置）には、データの先頭を示すスタート信号が記録される。また、各オーディオデータ‘audio1(800)’〜‘audio5(801)’の記録位置の手前には、１単位となっている５フィールドのうちの何番目のフィールドに対応するオーディオデータであるかを識別する（したがってサンプル数が８００であるか８０１であるかを識別する）５フィールドＩＤが記録される。５フィールドＩＤは、値が０〜４であり、１フィールド目に対応するオーディオデータである（サンプル数が８００である）ことを値０で示し、２，３，４，５フィールド目に対応するオーディオデータである（サンプル数が８０１である）ことをそれぞれ値１，２，３，４で示すようになっている。
【０００７】
ＨＤＣＡＭ ＳＲフォーマットでは、記録再生モードとしては、１倍速モード（ビデオデータのデータレート：４４０Ｍｂｐｓ）と２倍速モード（ビデオデータのデータレート：８８０Ｍｂｐｓ）とがサポートされている。したがって、１倍速で記録したデータを１倍速で再生するだけでなく、１倍速で記録したデータを２倍速で再生することも可能である。
【０００８】
〔１倍速再生の場合〕
図３は、フィールド周波数５９．９４Ｈｚのビデオデータを１倍速で再生してＳＭＰＴＥ２９２ＭによるＨＤ−ＳＤＩ信号として伝送する場合の、ＨＤＣＡＭ ＳＲフォーマットのＶＴＲにおけるオーディオデータの出力系を示すブロック図である。磁気テープＴＰから再生ヘッドＰＢによって読み出された信号に対し、復号部２０で波形整形及び復号処理を施された後、ＥＣＣデコーダ２１で誤り訂正される。そして、ＥＣＣデコーダ２１から、誤り訂正されたオーディオデータがオーディオプロセッサ２２に出力される。
【０００９】
オーディオプロセッサ２２は、このオーディオデータを、ビデオデータに埋め込む（エンベッドする）オーディオデータとしてＨＤ−ＳＤＩトランスミッタ２３に出力する。
【００１０】
図４は、ＥＣＣデコーダ２１から出力されるオーディオデータと、ＨＤ−ＳＤＩトランスミッタ２３から出力されるオーディオデータとを示す図である。図４（ａ）のように、ＥＣＣデコーダ２１からは、‘audio1(800)’，‘audio2(801)’，‘audio3(801)’，‘audio4(801)’，‘audio5(801)’，…というように本来の順番で連続したオーディオデータがオーディオプロセッサ２２に出力される。
【００１１】
オーディオプロセッサ２２は、このオーディオデータを‘audio1(800)’，‘audio2(801)’，‘audio3(801)’，‘audio4(801)’，‘audio5(801)’，…のままの順番でＨＤ−ＳＤＩトランスミッタ２３に出力する。図４（ｂ）のように、ＨＤ−ＳＤＩトランスミッタ２３から出力されるオーディオデータは、ビデオデータの隙間に埋め込まれているので見かけ上フィールド単位で区切られているが、やはり‘audio1(800)’，‘audio2(801)’，‘audio3(801)’，‘audio4(801)’，‘audio5(801)’，…というように本来の順番で連続している。
【００１２】
図５は、オーディオプロセッサ２２が出力するオーディオデータのチャンネル毎の内訳を示す図である。ＨＤ−ＳＤＩ信号には１６チャンネル分のオーディオデータを埋め込むことが可能である。ＨＤ−ＳＤＩトランスミッタ２３には、この１６チャンネル分のオーディオデータを入力するための８個の入力端子Ｉ１〜Ｉ８が設けられている。オーディオプロセッサ２２は、このうちの６個の入力端子Ｉ１〜Ｉ６に対して、１サンプリング周期毎に、２チャンネル分を一塊としてオーディオデータを出力する。
【００１３】
すなわち、オーディオプロセッサ２２は、或るサンプリング周期ＳＣ１では、入力端子Ｉ１〜Ｉ６に対して下記のようにしてオーディオデータを出力する。
・チャンネルｃｈ１のデータの一部であるch1_0と、チャンネルｃｈ２のデータの一部であるch2_0とを、入力端子Ｉ１に対して出力する。
・チャンネルｃｈ３のデータの一部であるch3_0と、チャンネルｃｈ４のデータの一部であるch4_0とを、入力端子Ｉ２に対して出力する。
・チャンネルｃｈ５のデータの一部であるch5_0と、チャンネルｃｈ６のデータの一部であるch6_0とを、入力端子Ｉ３に対して出力する。
・チャンネルｃｈ７のデータの一部であるch7_0と、チャンネルｃｈ８のデータの一部であるch8_0とを、入力端子Ｉ４に対して出力する。
・チャンネルｃｈ９のデータの一部であるch9_0と、チャンネルｃｈ１０のデータの一部であるch10_0とを、入力端子Ｉ５に対して出力する。
・チャンネルｃｈ１１のデータの一部であるch11_0と、チャンネルｃｈ１２のデータの一部であるch12_0とを、入力端子Ｉ６に対して出力する。
【００１４】
また、その次のサンプリング周期ＳＣ２では、オーディオプロセッサ２２は、入力端子Ｉ１〜Ｉ６に対して下記のようにしてオーディオデータを出力する。
・チャンネルｃｈ１のデータのうちch1_0に続くデータch1_1と、チャンネルｃｈ２のデータのうちch2_0に続くデータch2_1とを、入力端子Ｉ１に対して出力する。
・チャンネルｃｈ３のデータのうちch3_0に続くデータch3_1と、チャンネルｃｈ４のデータのうちch4_0に続くデータch4_1とを、入力端子Ｉ２に対して出力する。
・チャンネルｃｈ５のデータのうちch5_0に続くデータch5_1と、チャンネルｃｈ６のデータのうちch6_0に続くデータch6_1とを、入力端子Ｉ３に対して出力する。
・チャンネルｃｈ７のデータのうちch7_0に続くデータch7_1と、チャンネルｃｈ８のデータのうちch8_0に続くデータch8_1とを、入力端子Ｉ４に対して出力する。
・チャンネルｃｈ９のデータのうちch9_0に続くデータch9_1と、チャンネルｃｈ１０のデータのうちch10_0に続くデータch10_1とを、入力端子Ｉ５に対して出力する。
・チャンネルｃｈ１１のデータのうちch11_0に続くデータch11_1と、チャンネルｃｈ１２のデータのうちch12_0に続くデータch12_1とを、入力端子Ｉ６に対して出力する。
【００１５】
以下同様にして、１サンプリング周期毎に、チャンネルｃｈ１及びｃｈ２のデータを一塊として入力端子Ｉ１に対して出力し、チャンネルｃｈ３及びｃｈ４のデータを一塊として入力端子Ｉ２に対して出力し、チャンネルｃｈ５及びｃｈ６のデータを一塊として入力端子Ｉ３に対して出力し、チャンネルｃｈ７及びｃｈ８のデータを一塊として入力端子Ｉ４に対して出力し、チャンネルｃｈ９及びｃｈ１０のデータを一塊として入力端子Ｉ５に対して出力し、チャンネルｃｈ１１及びｃｈ１２のデータを一塊として入力端子Ｉ６に対して出力していく。
【００１６】
〔２倍速再生の場合〕
以上は１倍速再生の場合の説明であるが、次に、１倍速で記録したデータを２倍速で再生する場合について検討する。２倍速再生したビデオデータをＨＤ−ＳＤＩ信号として伝送する場合には、ＳＭＰＴＥ３７２Ｍ（非特許文献１）によるデュアルリンクＨＤ−ＳＤＩに準拠したＬＩＮＫ-ＡのＨＤ−ＳＤＩトランスミッタとＬＩＮＫ-ＢのＨＤ−ＳＤＩトランスミッタとが必要となる。
【００１７】
【非特許文献１】SMPTE 372M PROPOSED SMPTE STANDARD for Television −  Dual LINK 292M Interface for 1920×1080 Picture Raster
【発明の開示】
【発明が解決しようとする課題】
【００１８】
図６は、フィールド周波数５９．９４Ｈｚのビデオデータを２倍速で再生してＨＤ−ＳＤＩ信号として伝送する場合の、ＨＤＣＡＭ ＳＲフォーマットのＶＴＲにおけるオーディオデータの出力系の一案を示すブロック図である（前出の図３と共通する部分には同一符号を付している）。
【００１９】
磁気テープＴＰを走行させる回転ドラム（図示略）の回転周波数が、１倍速再生時の２倍にされる。そして、磁気テープＴＰから再生ヘッドＰＢによって２倍速で読み出された信号が、切替スイッチ１０により、奇数番目のフィールドのデータ（前出の図１や図２に示した‘picture1’及び‘audio1(800)’， ‘picture3’及び‘audio3(801)’，‘picture5’及び‘audio5(801)’）の記録トラックからの信号と偶数番目のフィールドのデータ（図１や図２に示した ‘picture2’及び‘audio2(801)’，‘picture4’及び‘audio4(801)’）の記録トラックからの信号とに振り分けて、それぞれキャッシュメモリー１１−１とキャッシュメモリー１１−２とに書き込まれる。
【００２０】
キャッシュメモリー１１−１，１１−２に書き込まれた信号は、それぞれ書き込み時の２分の１のレートでキャッシュメモリー１１−１，１１−２から読み出されることによって１倍速の信号に変換される。
【００２１】
キャッシュメモリー１１−１，１１−２からのこの１倍速の信号は、それぞれ復号部２０−１，２０−２（図３の復号部２０と同一構成のもの）で波形整形及び復号処理を施された後、それぞれＥＣＣデコーダ２１−１，２１−２（図３のＥＣＣデコーダ２１と同一構成のもの）で誤り訂正される。
【００２２】
ＥＣＣデコーダ２１−１，２１−２からは、誤り訂正されたオーディオデータがオーディオプロセッサ１２に出力される。このようにして、奇数フィールドのビデオデータ及びそれに対応するオーディオデータと、偶数フィールドのビデオデータ及びそれに対応するオーディオデータとを並列的に再生することによって２倍速再生されたオーディオデータが、オーディオプロセッサ１２に送られる。
【００２３】
２倍速再生時のオーディオデータのデータ量は、１倍速再生時の２倍の２４チャンネル分になる。１系統のＨＤ−ＳＤＩ信号に埋め込むことが可能なオーディオデータは１６チャンネル分なので、オーディオプロセッサ１２は、オーディオデータを、デュアルリンクＨＤ−ＳＤＩに準拠したＬＩＮＫ-ＡのＨＤ−ＳＤＩトランスミッタ１３とＬＩＮＫ-ＢのＨＤ−ＳＤＩトランスミッタ１４とに振り分けて出力する。
【００２４】
図７は、ＥＣＣデコーダ２１−１，２１−２から出力されるオーディオデータと、ＨＤ−ＳＤＩトランスミッタ１３，１４から出力されるオーディオデータとを示す図である。図７（ａ）のように、ＥＣＣデコーダ２１−１からは、‘audio1(800)’，‘audio3(801)’，‘audio5(801)’，‘audio7(801)’，…というように、奇数フィールドのビデオデータに対応したオーディオデータがオーディオプロセッサ１２に出力される。
【００２５】
図７（ｂ）のように、ＥＣＣデコーダ２１−２からは、ＥＣＣデコーダ２１−１からのオーディオデータと並列して、‘audio2(801)’，‘audio4(801)’，‘audio6(801)’，‘audio8(801)’，…というように、偶数フィールドのビデオデータに対応したオーディオプロセッサ２２に出力される。
【００２６】
オーディオプロセッサ２２は、ＥＣＣデコーダ２１−１からのオーディオデータをそのままの順番でＨＤ−ＳＤＩトランスミッタ１３に出力し、ＥＣＣデコーダ２１−２からのオーディオデータをそのままの順番でＨＤ−ＳＤＩトランスミッタ１４に出力する。
【００２７】
ＨＤ−ＳＤＩトランスミッタ１３，１４は、各フィールドのビデオデータに、一定のサンプル数のオーディオデータを埋め込む。例えばこの一定のサンプル数が８０１サンプルであるとした場合、ＨＤ−ＳＤＩトランスミッタ１３は、図７（ｃ）のように、‘audio1(800)’は８００サンプルであり１サンプル不足するので、次の‘audio3(801)’の先頭の１サンプル（図７（ｃ）の［ｓ１］）を取って、合計８０１サンプルとしてビデオデータに埋め込んで出力する。
【００２８】
また、これによって今度は‘audio3(801)’のほうが８００サンプルとなって１サンプル不足するので、次の‘audio5(801)’の先頭の１サンプル（図７（ｃ）の［ｓ２］）を取って、合計８０１サンプルとしてビデオデータに埋め込んで出力する。また、これによって今度は‘audio5(801)’のほうが８００サンプルとなって１サンプル不足するので、次のオーディオデータ（図示略）の先頭の１サンプル（図７（ｃ）の［ｓ３］）を取って、合計８０１サンプルとしてビデオデータに埋め込んで出力する。以下も、同様な処理を繰り返す。
【００２９】
ＨＤ−ＳＤＩトランスミッタ１４のほうは、図７（ｄ）のように、‘audio2(801)’， ‘audio4(801)’は８０１サンプルなのでそのままビデオデータに埋め込んで出力するが、‘audio6(800)’が８００サンプルであり１サンプル不足するので、次のオーディオデータ（図示略）の先頭の１サンプル（図７（ｄ）の［ｓ４］）を取って、合計８０１サンプルとしてビデオデータに埋め込んで出力する。以下も、同様な処理を繰り返す。
【００３０】
ところが、このようなオーディオデータを埋め込んだデュアルリンクＨＤ−ＳＤＩ信号がＨＤ−ＳＤＩトランスミッタ１３，１４から出力されると、デュアルリンクＨＤ−ＳＤＩ信号を受信する側の機器（例えば番組制作システムに用いられるビデオサーバー）で、元通りの連続したオーディオデータを復元できなくなる。
【００３１】
図８は、このＨＤ−ＳＤＩトランスミッタ１３，１４の出力から受信側の機器で復元されるオーディオデータを示す図である。受信側の機器では、ＬＩＮＫ-ＡのＨＤ−ＳＤＩレシーバから出力されるオーディオデータと、ＬＩＮＫ-ＢのＨＤ−ＳＤＩレシーバから出力されるオーディオデータとを交互に並べていくことによってオーディオデータを復元する。しかし、このようにして復元されたオーディオデータは、‘audio1(800)’と‘audio2(801)’との間に‘audio3(801)’の先頭の１サンプルである［ｓ１］（図７（ｃ）に示した［ｓ１］と同じもの）が存在し、‘audio3(801)’と‘audio4(801)’との間に‘audio5(801)’の先頭の１サンプルである［ｓ２］（図７（ｃ）に示した［ｓ２］と同じもの）が存在し、…というように、時間的な順番が前後してしまうので、元通りの連続したオーディオデータにならない。
【００３２】
本発明は、上述の点に鑑み、ＨＤＣＡＭ ＳＲフォーマットのＶＴＲにおいてフィールド周波数５９．９４Ｈｚのビデオデータを２倍速で再生してデュアルリンクＨＤ−ＳＤＩ信号として伝送する際に、受信側の機器で簡単に元通りの連続したオーディオデータを復元できるようにすることを課題とする。
【課題を解決するための手段】
【００３３】
この課題を解決するため、本発明に係る２倍速データの出力装置は、
フィールド周波数５９．９４Ｈｚのビデオデータが記録されるとともに、サンプリング周波数４８ｋＨｚのｎチャンネル分（ｎは９から１６までの整数）のオーディオデータが、連続する５フィールドのうち、１フィールドに対応して８００サンプル、残りの４フィールドに対応してそれぞれ８０１サンプル記録されたテープ状記録媒体から、奇数フィールドのビデオデータ及びそれに対応するオーディオデータと、偶数フィールドのビデオデータ及びそれに対応するオーディオデータとを並列的に再生することによって２倍速再生を行う再生部と、
前記再生部によって並列的に再生される奇数フィールドに対応するオーディオデータと偶数フィールドに対応するオーディオデータとを、メモリーに書き込んだ後、対応するフィールドの順番に９６ｋＨｚで前記メモリーから読み出して、デュアルリンクＨＤ−ＳＤＩのトランスミッタに出力するオーディオ処理部と
を備えたことを特徴とする。
【００３４】
また、本発明に係る２倍速データの出力方法は、
フィールド周波数５９．９４Ｈｚのビデオデータが記録されるとともに、サンプリング周波数４８ｋＨｚのｎチャンネル分（ｎは９から１６までの整数）のオーディオデータが、連続する５フィールドのうち、１フィールドに対応して８００サンプル、残りの４フィールドに対応してそれぞれ８０１サンプル記録されたテープ状記録媒体から、奇数フィールドのビデオデータ及びそれに対応するオーディオデータと、偶数フィールドのビデオデータ及びそれに対応するオーディオデータとを並列的に再生することによって２倍速再生を行う第１のステップと、
前記第１のステップで並列的に再生した奇数フィールドに対応するオーディオデータと偶数フィールドに対応するオーディオデータとを、メモリーに書き込んだ後、対応するフィールドの順番に９６ｋＨｚで前記メモリーから読み出す第２のステップと、
前記第２のステップで前記メモリーから読み出したオーディオデータを、デュアルリンクＨＤ−ＳＤＩのトランスミッタに出力する第３のステップと
を有することを特徴とする。
【００３５】
この出力装置，出力方法では、フィールド周波数５９．９４Ｈｚのビデオデータに対応する４８ｋＨｚのｎチャンネル分（ｎは９から１６までの整数）のオーディオデータのうち、奇数フィールドに対応するオーディオデータと、偶数フィールドに対応するオーディオデータとが、並列的に再生されることによって２倍速再生された後、メモリーに書き込まれ、対応するフィールドの順番に９６ｋＨｚでメモリーから読み出される。そして、このメモリーから読み出されたオーディオデータが、デュアルリンクＨＤ−ＳＤＩのトランスミッタに出力される。
【００３６】
したがって、デュアルリンクＨＤ−ＳＤＩのトランスミッタには、１倍速再生の場合について図４（ｂ）に示したのと同じく、本来の順番で連続したオーディオデータが出力される。
【００３７】
これにより、ＨＤＣＡＭ ＳＲフォーマットのＶＴＲにおいてフィールド周波数５９．９４Ｈｚのビデオデータを２倍速で再生してデュアルリンクＨＤ−ＳＤＩ信号として伝送する際に、受信側で簡単に元通りの連続したオーディオデータを復元できるようになる。
【発明の効果】
【００３８】
本発明によれば、ＨＤＣＡＭ ＳＲフォーマットのＶＴＲにおいてフィールド周波数５９．９４Ｈｚのビデオデータを２倍速で再生してデュアルリンクＨＤ−ＳＤＩ信号として伝送する際に、受信側で簡単に元通りの連続したオーディオデータを復元できるようになるという効果が得られる。
【発明を実施するための最良の形態】
【００３９】
以下、本発明の実施の形態を、図面を用いて具体的に説明する。図９は、本発明を適用したＨＤＣＡＭ ＳＲフォーマットのＶＴＲにおける２倍速再生用のオーディオデータの出力系を示すブロック図である。（前出の図６と共通する部分には同一符号を付している）。
【００４０】
磁気テープＴＰを走行させる回転ドラム（図示略）の回転周波数が、１倍速再生時の２倍にされる。そして、磁気テープＴＰから再生ヘッドＰＢによって２倍速で読み出された信号が、切替スイッチ１０により、奇数番目のフィールドのデータ（前出の図１や図２に示した‘picture1’及び‘audio1(800)’， ‘picture3’及び‘audio3(801)’，‘picture5’及び‘audio5(801)’）の記録トラックからの信号と偶数番目のフィールドのデータ（図１や図２に示した ‘picture2’及び‘audio2(801)’，‘picture4’及び‘audio4(801)’）の記録トラックからの信号とに振り分けて、それぞれキャッシュメモリー１１−１とキャッシュメモリー１１−２とに書き込まれる。
【００４１】
キャッシュメモリー１１−１，１１−２に書き込まれた信号は、それぞれ書き込み時の２分の１のレートでキャッシュメモリー１１−１，１１−２から読み出されることによって１倍速の信号に変換される。
【００４２】
キャッシュメモリー１１−１，１１−２からのこの１倍速の信号は、それぞれ復号部２０−１，２０−２で波形整形及び復号処理を施された後、それぞれＥＣＣデコーダ２１−１，２１−２で誤り訂正される。
【００４３】
ＥＣＣデコーダ２１−１，２１−２からは、誤り訂正されたオーディオデータがオーディオプロセッサ１に出力される。このようにして、奇数フィールドのビデオデータ及びそれに対応するオーディオデータと、偶数フィールドのビデオデータ及びそれに対応するオーディオデータとを並列的に再生することによって２倍速再生されたオーディオデータが、オーディオプロセッサ１に送られる。
【００４４】
また、ＥＣＣデコーダ２１−１，２１−２からは、各フィールドのデータの記録トラックの先頭位置から読み出されたスタート信号ST1，ST2（各フィールドのデータの先頭を示す信号）と、各フィールドのデータの記録トラックのオーディオデータの記録位置の手前から読み出された５フィールドＩＤ（オーディオデータのサンプル数が８００であるか８０１であるかを識別するＩＤ）1D1，1D2とが、オーディオプロセッサ１２に出力される。
【００４５】
オーディオプロセッサ１の内部には、メモリー２と、このメモリー２を制御するメモリーコントローラ３とが設けられている。メモリーコントローラ３は、スタート信号ST1，ST2及び５フィールドＩＤ1D1，1D2を用いて、ＥＣＣデコーダ２１−１，２１−２からのオーディオデータをメモリー２に書き込む際のライトアドレスを生成し、そのライトアドレスの領域にＥＣＣデコーダ２１−１，２１−２からのオーディオデータを書き込む。
【００４６】
図１０（ａ）〜（ｈ）は、メモリーコントローラ３が生成するメモリー２のライトアドレスを示す図である。或るフィールド周期ＦＣ１において、ＥＣＣデコーダ２１−１からスタート信号ST1（図１０（ａ））が送られた後、ＥＣＣデコーダ２１−１から値０の５フィールドＩＤ1D1（図１０（ｂ））が送られると、ＥＣＣデコーダ２１−１からの８００サンプルのオーディオデータ‘audio1(800)’（図１０（ｃ））を書き込むためのライトアドレス０〜７９９（図１０（ｄ））を生成する。
【００４７】
また、このフィールド周期ＦＣ１において、ＥＣＣデコーダ２１−２からスタート信号ST2（図１０（ｅ））が送られた後、ＥＣＣデコーダ２１−２から値１の５フィールドＩＤ1D2（図１０（ｆ））が送られると、ＥＣＣデコーダ２１−２からの８０１サンプルのオーディオデータ‘audio2(801)’（図１０（ｇ））を書き込むためのライトアドレス８００〜１６００（図１０（ｈ））を生成する。
【００４８】
続いて、次のフィールド周期ＦＣ２において、ＥＣＣデコーダ２１−１からスタート信号ST1（図１０（ａ））が送られた後、ＥＣＣデコーダ２１−１から値２の５フィールドＩＤ1D1（図１０（ｂ））が送られると、ＥＣＣデコーダ２１−１からの８０１サンプルのオーディオデータ‘audio3(801)’（図１０（ｃ））を書き込むためのライトアドレス１６０１〜２４０１（図１０（ｄ））を生成する。
【００４９】
また、このフィールド周期ＦＣ２において、ＥＣＣデコーダ２１−２からスタート信号ST2（図１０（ｅ））が送られた後、ＥＣＣデコーダ２１−２から値３の５フィールドＩＤ1D2（図１０（ｆ））が送られると、ＥＣＣデコーダ２１−２からの８０１サンプルのオーディオデータ‘audio4(801)’（図１０（ｇ））を書き込むためのライトアドレス２４０２〜３２０２（図１０（ｈ））を生成する。
【００５０】
続いて、次のフィールド周期ＦＣ３において、ＥＣＣデコーダ２１−１からスタート信号ST1（図１０（ａ））が送られた後、ＥＣＣデコーダ２１−１から値４の５フィールドＩＤ1D1（図１０（ｂ））が送られると、ＥＣＣデコーダ２１−１からの８０１サンプルのオーディオデータ‘audio5(801)’（図１０（ｃ））を書き込むためのライトアドレス３２０３〜４００３（図１０（ｄ））を生成する。
【００５１】
また、このフィールド周期ＦＣ３において、ＥＣＣデコーダ２１−２からスタート信号ST2（図１０（ｅ））が送られた後、ＥＣＣデコーダ２１−２から値０の５フィールドＩＤ1D2（図１０（ｆ））が送られると、ＥＣＣデコーダ２１−２からの８００サンプルのオーディオデータ‘audio6(800)’（図１０（ｇ））を書き込むためのライトアドレス４００４〜４８０３（図１０（ｈ））を生成する。
【００５２】
続いて、次のフィールド周期ＦＣ４において、ＥＣＣデコーダ２１−１からスタート信号ST1（図１０（ａ））が送られた後、ＥＣＣデコーダ２１−１から値１の５フィールドＩＤ1D1（図１０（ｂ））が送られると、ＥＣＣデコーダ２１−１からの８０１サンプルのオーディオデータ‘audio7(801)’（図１０（ｃ））を書き込むためのライトアドレス４８０４〜５６０４（図１０（ｄ））を生成する。
【００５３】
また、このフィールド周期ＦＣ４において、ＥＣＣデコーダ２１−２からスタート信号ST2（図１０（ｅ））が送られた後、ＥＣＣデコーダ２１−２から値２の５フィールドＩＤ1D2（図１０（ｆ））が送られると、ＥＣＣデコーダ２１−２からの８０１サンプルのオーディオデータ‘audio8(801)’（図１０（ｇ））を書き込むためのライトアドレス５６０５〜６４０５（図１０（ｈ））を生成する。
【００５４】
以下、このような処理を繰り返す。これにより、連続するオーディオデータであるオーディオデータ‘audio1(800) ’，‘audio2(801)’，‘audio3(801) ’，‘audio4(801) ，‘audio5(801)’，‘audio6(800) ’，‘audio7(801) ，‘audio8(801) ，…が、メモリー２の連続するライトアドレス０〜７９９，８００〜１６００，１６０１〜２４０１，２４０２〜３２０２，３２０３〜４００３，４００４〜４８０３，４８０４〜５６０４，５６０５〜６４０５，…の領域に書き込まれていく。
【００５５】
メモリーコントローラ３は、このようにしてメモリー２に書き込んだオーディオデータを、書き込み時の２倍のレート（すなわち９６ｋＨｚ）で、且つ、リードアドレス０〜７９９，８００〜１６００，１６０１〜２４０１，２４０２〜３２０２，３２０３〜４００３，４００４〜４８０３，４８０４〜５６０４，５６０５〜６４０５，…０を順に生成することによって対応するフィールドの順番にメモリー２から読み出す。
【００５６】
図１０（ｉ）〜（ｊ）は、このリードアドレス及びメモリー２からの読み出しデータを示す図である。‘audio1(800)’，‘audio2(801)’，‘audio3(801)’，‘audio4(801)’，‘audio5(801)’， ，‘audio6(800)’，…というように本来の順番で連続したサンプリング周波数９６ｋＨｚのオーディオデータが読み出される。
【００５７】
図１１は、図１０のうちの図１０（ｇ），（ｃ）及び（ｊ）を抜き出すことにより、ＥＣＣデコーダ２１−１，２１−２から出力されるオーディオデータと、メモリー２から読み出されるオーディオデータとの関係を示した図である。ＥＣＣデコーダ２１−１，２１−２からは奇数フィールドに対応するオーディオデータと偶数フィールドに対応するオーディオデータとが並列的に出力されるが、メモリー２からは本来の順番で連続するように並び替えられたオーディオデータ（ただしサンプリング周波数は２倍の９６ｋＨｚのもの）が読み出される。
【００５８】
オーディオプロセッサ１は、このオーディオデータを‘audio1(800)’，‘audio2(801)’，‘audio3(801)’，‘audio4(801)’，‘audio5(801)’， ，‘audio6(800)’，…のままの順番でＨＤ−ＳＤＩトランスミッタ１３，１４に出力する。
【００５９】
図１２は、オーディオプロセッサ１が出力するオーディオデータのチャンネル毎の内訳を示す図である。ＬＩＮＫ-Ａ，ＬＩＮＫ-ＢのＨＤ−ＳＤＩ信号にはそれぞれ１６チャンネル分ずつのオーディオデータを埋め込むことが可能である。ＨＤ−ＳＤＩトランスミッタ１３，１４には、それぞれこの１６チャンネル分のオーディオデータを入力するための８個の入力端子Ｉ１〜Ｉ８が設けられている。ただし、オーディオプロセッサ１から出力されるオーディオデータは、サンプリング周波数９６ｋＨｚであることからデータ量が２倍になっているので、ＬＩＮＫ-Ａ，ＬＩＮＫ-ＢのＨＤ−ＳＤＩ信号に埋め込むことのできるチャンネル数は半分の８チャンネル分となる。
【００６０】
オーディオプロセッサ１は、メモリー２から読み出したオーディオデータのうち、１チャンネル目から８チャンネル目のデータを、同じチャンネルのデータを連続させてＨＤ−ＳＤＩトランスミッタ１３の入力端子Ｉ１〜Ｉ８に対して出力し、９チャンネル目から１２チャンネル目のデータを、同じチャンネルのデータを連続させてＨＤ−ＳＤＩトランスミッタ１４の入力端子Ｉ１〜Ｉ８のうちの入力端子Ｉ１〜Ｉ４に対して出力する。
【００６１】
すなわち、オーディオプロセッサ１は、或るサンプリング周期ＳＣ１では、ＨＤ−ＳＤＩトランスミッタ１３の入力端子Ｉ１〜Ｉ８及びＨＤ−ＳＤＩトランスミッタ１４の入力端子Ｉ１〜Ｉ４に対して、下記のようにしてオーディオデータを出力する。
・チャンネルｃｈ１のデータの一部であるch1_0及びそれに続くデータch1_1を、ＨＤ−ＳＤＩトランスミッタ１３の入力端子Ｉ１に対して出力する。
・チャンネルｃｈ２のデータの一部であるch2_0及びそれに続くデータch2_1を、ＨＤ−ＳＤＩトランスミッタ１３の入力端子Ｉ２に対して出力する。
・チャンネルｃｈ３のデータの一部であるch3_0及びそれに続くデータch3_1を、ＨＤ−ＳＤＩトランスミッタ１３の入力端子Ｉ３に対して出力する。
・チャンネルｃｈ４のデータの一部であるch4_0及びそれに続くデータch4_1を、ＨＤ−ＳＤＩトランスミッタ１３の入力端子Ｉ４に対して出力する。
・チャンネルｃｈ５のデータの一部であるch5_0及びそれに続くデータch5_1を、ＨＤ−ＳＤＩトランスミッタ１３の入力端子Ｉ５に対して出力する。
・チャンネルｃｈ６のデータの一部であるch6_0及びそれに続くデータch6_1を、ＨＤ−ＳＤＩトランスミッタ１３の入力端子Ｉ６に対して出力する。
・チャンネルｃｈ７のデータの一部であるch7_0及びそれに続くデータch7_1を、ＨＤ−ＳＤＩトランスミッタ１３の入力端子Ｉ７に対して出力する。
・チャンネルｃｈ８のデータの一部であるch8_0及びそれに続くデータch8_1を、ＨＤ−ＳＤＩトランスミッタ１３の入力端子Ｉ８に対して出力する。
・チャンネルｃｈ９のデータの一部であるch9_0及びそれに続くデータch9_1を、ＨＤ−ＳＤＩトランスミッタ１４の入力端子Ｉ１に対して出力する。
・チャンネルｃｈ１０のデータの一部であるch10_0及びそれに続くデータch10_1を、ＨＤ−ＳＤＩトランスミッタ１４の入力端子Ｉ２に対して出力する。
・チャンネルｃｈ１１のデータの一部であるch11_0及びそれに続くデータch11_1を、ＨＤ−ＳＤＩトランスミッタ１４の入力端子Ｉ３に対して出力する。
・チャンネルｃｈ１２のデータの一部であるch12_0及びそれに続くデータch12_1を、ＨＤ−ＳＤＩトランスミッタ１４の入力端子Ｉ４に対して出力する。
【００６２】
また、その次のサンプリング周期ＳＣ２では、オーディオプロセッサ１は、ＨＤ−ＳＤＩトランスミッタ１３の入力端子Ｉ１〜Ｉ８及びＨＤ−ＳＤＩトランスミッタ１４の入力端子Ｉ１〜Ｉ４に対して、下記のようにしてオーディオデータを出力する。
・チャンネルｃｈ１のデータch1_1に続くデータch1_2及びそれに続くデータch1_3を、ＨＤ−ＳＤＩトランスミッタ１３の入力端子Ｉ１に対して出力する。
・チャンネルｃｈ２のデータch2_1に続くデータch2_2及びそれに続くデータch2_3を、ＨＤ−ＳＤＩトランスミッタ１３の入力端子Ｉ２に対して出力する。
・チャンネルｃｈ３のデータch3_1に続くデータch3_2及びそれに続くデータch3_3を、ＨＤ−ＳＤＩトランスミッタ１３の入力端子Ｉ３に対して出力する。
・チャンネルｃｈ４のデータch4_1に続くデータch4_2及びそれに続くデータch4_3を、ＨＤ−ＳＤＩトランスミッタ１３の入力端子Ｉ４に対して出力する。
・チャンネルｃｈ５のデータch5_1に続くデータch5_2及びそれに続くデータch5_3を、ＨＤ−ＳＤＩトランスミッタ１３の入力端子Ｉ５に対して出力する。
・チャンネルｃｈ６のデータch6_1に続くデータch6_2及びそれに続くデータch6_3を、ＨＤ−ＳＤＩトランスミッタ１３の入力端子Ｉ６に対して出力する。
・チャンネルｃｈ７のデータch7_1に続くデータch7_2及びそれに続くデータch7_3を、ＨＤ−ＳＤＩトランスミッタ１３の入力端子Ｉ７に対して出力する。
・チャンネルｃｈ８のデータch8_1に続くデータch8_2及びそれに続くデータch8_3を、ＨＤ−ＳＤＩトランスミッタ１３の入力端子Ｉ８に対して出力する。
・チャンネルｃｈ９のデータch9_1に続くデータch9_2及びそれに続くデータch9_3を、ＨＤ−ＳＤＩトランスミッタ１４の入力端子Ｉ１に対して出力する。
・チャンネルｃｈ１０のデータch10_1に続くデータch10_2及びそれに続くデータch10_3を、ＨＤ−ＳＤＩトランスミッタ１４の入力端子Ｉ２に対して出力する。
・チャンネルｃｈ１１のデータch11_1に続くデータch11_2及びそれに続くデータch11_3を、ＨＤ−ＳＤＩトランスミッタ１４の入力端子Ｉ３に対して出力する。
・チャンネルｃｈ１２のデータch12_1に続くデータch12_2及びそれに続くデータch12_3を、ＨＤ−ＳＤＩトランスミッタ１４の入力端子Ｉ４に対して出力する。
【００６３】
以下同様にして、１サンプリング周期毎に、チャンネルｃｈ１〜ｃｈ８のデータをそれぞれ連続させてＨＤ−ＳＤＩトランスミッタ１３の入力端子Ｉ１〜Ｉ８に対して出力し、チャンネルｃｈ９〜ｃｈ１２のデータをそれぞれ連続させてＨＤ−ＳＤＩトランスミッタ１４の入力端子Ｉ１〜Ｉ４に対して出力していく。
【００６４】
このように、このオーディオデータの出力系からは、１倍速再生の場合について図４（ｂ）に示したのと同じく、本来の順番で連続しオーディオデータがＨＤ−ＳＤＩトランスミッタ１３，１４に出力される。
【００６５】
これにより、ＨＤ−ＳＤＩトランスミッタ１３，１４から出力されるデュアルリンクＨＤ−ＳＤＩ信号を受信する側の機器（例えば番組制作システムに用いられるビデオサーバー）で、簡単に元通りの連続したオーディオデータを復元できるようになる。（オーディオデータのサンプリング周波数は、必要に応じて、受信側の機器でメモリー等を用いて９６ｋＨｚから４８ｋＨｚに戻せばよい。）
【００６６】
なお、以上の実施の形態では、２倍速再生を行う方法として、回転ドラムの回転周波数を１倍速再生時の２倍にし、磁気テープＴＰから２倍速で読み出された信号を、切替スイッチ１０で奇数フィールドの信号と偶数フィールドの信号とに振り分けた後、キャッシュメモリー１１−１，１１−２で１倍速の信号に変換している。しかし、２倍速再生を行う別の方法として、回転ドラムの回転周波数を１倍速再生時と同じにしたまま、再生ヘッドの数を２倍にして、一方の再生ヘッドで奇数フィールドの信号を読み出すのと同時に、もう一方の再生ヘッドで偶数フィールドの信号を読み出すようにしてもよい。
【００６７】
また、以上の実施の形態では、ＨＤＣＡＭ ＳＲフォーマットに本発明を適用している。しかし、本発明は、ＨＤＣＡＭ ＳＲフォーマット以外のＶＴＲフォーマットであっても、フィールド周波数５９．９４Ｈｚのビデオデータが記録されるとともに、サンプリング周波数４８ｋＨｚのｎチャンネル分（ｎは９から１６までの整数）のオーディオデータが、連続する５フィールドのうち、１フィールドに対応して８００サンプル、残りの４フィールドに対応してそれぞれ８０１サンプル記録されるフォーマットであれば同様にして適用することができる。
【図面の簡単な説明】
【００６８】
【図１】フィールド周波数５９．９４Ｈｚの場合の１フィールドあたりのオーディオデータの記録サンプル数を示す図である。
【図２】図１のビデオデータ，オーディオデータの磁気テープ上での記録位置を示す図である。
【図３】１倍速再生の場合のオーディオデータの出力系を示すブロック図である。
【図４】図３のＥＣＣデコーダ，ＨＤ−ＳＤＩトランスミッタから出力されるオーディオデータを示す図である。
【図５】図３のオーディオプロセッサが出力するオーディオデータのチャンネル毎の内訳を示す図である。
【図６】２倍速再生の場合のオーディオデータの出力系の一案を示すブロック図である。
【図７】図６のＥＣＣデコーダ，ＨＤ−ＳＤＩトランスミッタから出力されるオーディオデータを示す図である。
【図８】図７のＨＤ−ＳＤＩトランスミッタの出力から受信側の機器で復元されるオーディオデータを示す図である。
【図９】本発明を適用した２倍速再生用のオーディオデータの出力系を示すブロック図である。
【図１０】図９のメモリーのライトアドレス及びリードアドレスを示す図である。
【図１１】図９のＥＣＣデコーダから出力されるオーディオデータと、図９のメモリーから読み出されるオーディオデータとの関係を示す図である。
【図１２】図９のオーディオプロセッサが出力するオーディオデータのチャンネル毎の内訳を示す図である。
【符号の説明】
【００６９】
１  オーディオプロセッサ、  ２  メモリー、  ３  メモリーコントローラ、  １０  切替スイッチ、  １１−１，１１−２  キャッシュメモリー、  １３  ＬＩＮＫ-ＡのＨＤ−ＳＤＩトランスミッタ、  １４  ＬＩＮＫ-ＢのＨＤ−ＳＤＩトランスミッタ、  ２０−１，２０−２  復号部、  ２１−１，２１−２  ＥＣＣデコーダ、  ＴＰ  磁気テープ、  ＰＢ  再生ヘッド
【図１】
0004784583.tif 000002
【図２】
0004784583.tif 000003
【図３】
0004784583.tif 000004
【図４】
0004784583.tif 000005
【図５】
0004784583.tif 000006
【図６】
0004784583.tif 000007
【図７】
0004784583.tif 000008
【図８】
0004784583.tif 000009
【図９】
0004784583.tif 000010
【図１０】
0004784583.tif 000011
【図１１】
0004784583.tif 000012
【図１２】
0004784583.tif 000013